(57)【特許請求の範囲】
【請求項１】
床スラブ上で床下構造体を支持する制振・遮音装置であって、前記床下構造体を構成する大引ビームを支持する脚体と、この脚体の下端を支持する台座と、この台座と床スラブとの間に介装される弾性緩衝体とからなり、前記弾性緩衝体は、前記台座に設けられた上下方向の貫通孔を通じて当該台座と床スラブとの間に充填された弾性樹脂から形成されている、床下構造体支持用の制振・遮音装置。
【請求項２】
前記台座は、中央に上向きの凸部を備えたπ型台座であって、前記脚体は、前記π型台座の凸部に上向きに支持され、前記貫通孔は、前記π型台座の凸部両側の翼板部にそれぞれ設けられている、請求項１に記載の床下構造体支持用の制振・遮音装置。
【請求項３】
前記台座は、その凸部両側の翼板部が大引ビームの左右両側に張り出すように、大引ビーム長さ方向に対して直交する左右横向きに配置されている、請求項２に記載の床下構造体支持用の制振・遮音装置。
【請求項４】
前記脚体は、大引ビームの長さ方向の両端間の中間位置における底面板を貫通するボルトと、このボルトに螺嵌され且つ前記底面板を挟む上下一対のナットから構成され、この上下一対のナットの高さ調整により大引ビームに対する前記台座の位置を上下調整可能に構成されている、請求項１〜３の何れか１項に記載の床下構造体支持用の制振・遮音装置。
【請求項５】
前記大引ビームが中空矩形断面のものであって、その側面には長さ方向適当間隔おきに空気流通用穴が設けられ、大引ビームの側面視において前記脚体の真上には、前記空気流通用穴が配置されている、請求項１〜４の何れか１項に記載の床下構造体支持用の制振・遮音装置。
【発明の詳細な説明】
【技術分野】
【０００１】
本発明は、コンクリート躯体の床スラブ（コンクリートスラブ）上の床下構造体を支持する、制振性能、遮音性能及び歩行性能を高めた画期的な制振・遮音装置に関するものである。
【背景技術】
【０００２】
従来、床下構造体は、例えば正梁構造のコンクリート躯体を備えた建物では、その床スラブ上に複数の束を立てると共に躯体縁には、大引をアンカー止めし、さらにその大引上に根太をアンカー止めし、根太の上に床板体を敷設するなど一体的に結合した構造となっているため、床板体に加わる振動が、根太と大引と束から床スラブを介して増大し、他の居住空間、特に階下の居住空間に大きな振動・騒音となって伝わる。このため床下構造体には、前記の振動・騒音に対する制振・遮音対策が必要となっている。
【０００３】
このような背景において、床板体から床下構造体を介して他の居住空間に伝わる振動・騒音を低減するため、種々の改良を加えた制振・遮音床下構造の開発が進められてきた。
【０００４】
その開発内容は、以下の特許文献に記載の例のように、床スラブと前記床板体との間において、床下構造体の内部、前記床下構造体と床板体との間等に、適宜に空間部、空気流通隙間、弾性緩衝体（材）等を配置する等多義に亘っているが、これらの単なる採用によって、制振性能、遮音性能及び歩行性能を高めようとすると、床スラブから床板体までの高さが大幅に高くなり重量も増大する結果、床スラブも設計上スケールアップするなどの増強体としなければならない。一方、床上空間はこの床下構造体に左右されずに居住のための必要な所要高さの空間を確保しなければならない制約を伴う。これらのことから床スラブ及び床下構造体コストの低減が極めて困難なものとなっている。更に、建造物の長寿命化推進や環境対策の観点から、建築物の改造規制や建築物における床スラブコンクリートのはつり作業及びはつり屑処分等が厳しく規制されている現状では、前記従来床構造から遮音床構造へのリフォームは、既成の床スラブを活かし且つ必須の床上居住空間を確保することを考慮すると極めて困難なものとなっている。
【先行技術文献】
【特許文献】
【０００５】
【特許文献１】特許第４２１９６５３号公報「束石の上に床材を敷設する建物の床改修工法」概要：床スラブ上に束石−木製の大引材−根太材−捨貼り材−フローリング材を順次敷設した床下構造体の床改修工法で、束石、大引材、根太材を再利用し、束石上に高さ調整具と緩衝材を配置し、根太材の上に捨貼り材、フローリング材を敷設した床改修工法。
【特許文献２】特許第２６４６４６９号公報「RC構造のマンション等の集合住宅、体育館、事務所ビル、教室等の床構造」概要：コンクリートスラブ等の床基盤と床組材との間に加水分解緩衝材を設け、床組材上に通気手段を備えた捨張材及び仕上材と巾木を設けて床下と室内の空気流通を図った床構造。
【特許文献３】第２７１９５５０号公報「コンクリート建築物の床構造」概要：コンクリートスラブ上にプラスチックス発泡体を接合し、その上に下面空隙式床下地材と通気性材料と床仕上材を順次張設したコンクリート建築物の床構造。
【特許文献４】特開２００１−２６３４２０号公報「防振脚体および防振ユニット脚体」概要：防振脚体８は、弾性台座と、少なくとも上部側に支持体の螺着用ねじ部が形成された金属製の棒状脚体とから構成し、弾性台座に、棒状脚体の下端部を回転可能に上方から嵌入する凹部を形成する一方、棒状脚体に、脚体下端部の嵌入状態で弾性台座の上面に着座するフランジ体を連設し、このフランジ体又はフランジ体上部の棒状脚体部分と棒状脚体の上端とに、棒状脚体を回転操作するための工具の係止部を形成した防振脚体および防振ユニット脚体。
【特許文献５】特開２００１−８１８９１号公報「床スラブ上の遮音床構造」概要：各階を仕切り逆梁を一体に突設した水平躯体部分と、鉛直躯体部分と、この逆梁上に、大引と根太よりなる床枠を架設し、この床枠上に床板を敷設し、この床板上に床上空間を、又床板下に床下空間をそれぞれ形成してなる建物において、大引を弾性緩衝体を介して嵌着する金物を一対の立設ガイド片で支持し、前記大引の端縁と前記鉛直躯体部分との間に間隙を形成した遮音床構造。
【特許文献６】特開２０００−１１０３３１号公報「床材の施工方法」概要：床下地の上に複数の床材を接着敷設する床材の施工方法において、厚み０．４〜１．０ｍｍの合成樹脂発泡体両面粘着テープを床下地に１００〜３５０ｍｍ間隔で貼り、床材と床材の接合部に位置する床下地に接着剤を上記両面粘着テープより厚く塗布し、その上に床材を敷設する床材の施工方法。
【特許文献７】特開平８−４１８５号公報「建築物の床構造」概要：水平躯体上に突設の逆梁間に大引を架設し、大引の上に根太を介して床材を支持する。大引の端部及び床材の端部と逆大梁との間に間隙を形成し、大引は弾性変形可能なΣ形鋼にして遮音性を向上させた建築物の床構造。
【発明の概要】
【発明が解決しようとする課題】
【０００６】
本発明は、床スラブと床下構造体とを振動絶縁係合し、しかも高さの低い組み立て簡易な軽量堅牢な床下構造体にすることにより、制振性能、遮音性能及び歩行性能を高くし、しかも新築建造物では、床スラブを複雑な断面変化構造にすることなく床スラブの厚みを構造性能上必要とされる最小の厚さに薄くしてコストを大幅に低減可能にし、リフォーム建造物では、既成の床スラブを活かし且つ必須の床上居住空間を確保できる画期的な制振・遮音装置を提供するものである。
【課題を解決するための手段】
【０００７】
本発明に係る制振・遮音装置は、床スラブ上で床下構造体を支持する制振・遮音装置であって、前記床下構造体を構成する大引ビームを支持する脚体と、この脚体の下端を支持する台座と、この台座と床スラブとの間に介装される弾性緩衝体とからなり、前記弾性緩衝体は、前記台座に設けられた上下方向の貫通孔を通じて当該台座と床スラブとの間に充填された弾性樹脂から形成された構成になっている。
【０００８】
上記本発明の制振・遮音装置は、具体的には次のように実施することができる。即ち、
(1)前記台座は、中央に上向きの凸部を備えたπ型台座とし、前記脚体は、前記π型台    座の凸部に上向きに支持させ、前記貫通孔は、前記π型台座の凸部両側の翼板部にそ    れぞれ設けることができる。
(2)前記脚体は、大引ビームの長さ方向の両端間の中間位置における底面板を貫通する    ボルトと、このボルトに螺嵌され且つ前記底面板を挟む上下一対のナットから構成し    、この上下一対のナットの高さ調整により大引ビームに対する前記台座の位置を上下    調整可能に構成することができる。
(3)前記台座は、その凸部両側の翼板部が大引ビームの左右両側に張り出すように、大    引ビーム長さ方向に対して直交する左右横向きに配置することができる。
(4)前記大引ビームが中空矩形断面のものであるときは、その側面には長さ方向適当間    隔おきに空気流通用穴を設け、大引ビームの側面視において前記脚体の真上には、前    記空気流通用穴を配置することができる。
【発明の効果】
【０００９】
本発明の制振・遮音装置を使用して床下構造体を床スラブ上に支持させることにより、床板体を支持する床下構造体の制振性能、遮音性能及び歩行性能を格段に高くし、しかも新築建造物では、床スラブを薄くしてコストを大幅に低減可能にし、リフォーム建造物では、既成の床スラブを活かし且つ必須の床上居住空間を確保できる、というような画期的な効果を得ることができる。
【図面の簡単な説明】
【００１０】
【図１】図１は、本発明の一実施例を示す一部切欠き斜視図である。
【図２】図２Ａは、大引ビームを横側面側から見た縦断側面図であり、図２Ｂは、図２ＡのＡ部の拡大図である。
【図３】図３は、両端制振・遮音装置を示す、大引ビームを端面側から見た正面図である。
【図４】図４は、中間制振・遮音装置を示す、サブビーム連結位置での大引ビームの縦断正面図である。
【図５】図５Ａ〜図５Ｅは、大引ビームの各種断面構造を示す縦断正面図である。
【発明を実施するための形態】
【００１１】
本発明の第一実施例を、図１〜図５に基づいて詳細に説明すると、この実施例の床下構造体１は、床スラブ２と床板体３との間に配設されるもので、複数本の大引ビーム４、複数本のサブビーム５、上振動絶縁接続部６、及び下振動絶縁接続部７によって構成されている。大引ビーム４は、床スラブ１上に互いに平行に配置され、サブビーム５は、隣り合う大引ビーム４どうしを連結するもので、大引ビーム４と直交する向きで互いに平行に配置されている。
【００１２】
大引ビーム４は、金属製で断面形状がほぼ矩形の中空建材で構成され、その側面に複数の空気流通用穴８が切欠成形され、又、サブビーム連結箇所には、側面の肩部に、側面から上面にわたって倒立Ｌ字状に、サブビーム５との接合用の切欠部９が設けられている。この大引ビーム４は、その両端部が床スラブ１を支持している梁部１０の上に位置するように配置されている。尚、大引ビーム４は、中空矩形断面に限られるものではなく、図５Ａに示すリップ付き溝形断面の大引ビーム４Ａ、図５Ｂに示すリップ無し溝形断面の大引ビーム４Ｂ、図５Ｃに示すＨ形断面の大引ビーム４Ｃ、図５Ｄに示す、両側板の中央部を窪ませた変形中空矩形断面の大引ビーム４Ｄ、及び図５Ｅに示すΣ形断面の大引ビーム４Ｅ等、各種断面形状のものが利用できる。
【００１３】
サブビーム５は、大引ビーム４の配置間隔や床板体３の強度或いは床板体３の上面への荷重分布等によっては配置する必要がない場合がある。この実施例で採用したサブビーム５は、大引ビーム４の側面の上部間に互いに平行に配置した、下側開放形の横断面がコ字状の金属製建材であり、その長さ方向の両端には左右一対の下向きのフック１１が一体に形成されている。このサブビーム５は、図示の実施例のコ字形断面の他に、大引ビーム４と同様に、リップ付き溝形断面、リップ無し溝形断面、Σ形断面、Ｈ形断面、両側板の中央部を窪ませた変形中空矩形断面、及びＹ形断面等、各種断面形状のものが利用できる。
【００１４】
大引ビーム４とサブビーム５とは、大引ビーム４の切欠部９にサブビーム５のフック１１を上から挿入して着脱可能に嵌めて接続されるが、ビス止め、ボルトとナット止め等の他の適宜な接合手段を採用することができる。この実施例の床下構造体１では、大引ビーム４に対してその高さの範囲内にサブビーム５を簡便な施工方法により着脱可能に連結できる構成であるから、床下構造体１の高さは、大引ビーム４の高さの範囲内に抑えることができ、全高の低い軽量堅牢な床下構造体１とすることができる。このため新築建造物では、床スラブ２の軽量化を可能にし、床スラブ２の築造コストを大幅に低減可能にし、リフォーム建造物では、床スラブ２を現状維持可能にして施工できる等の画期的に優れた効果を呈するものである。
【００１５】
大引ビーム４の上面には、上振動絶縁接続部６を構成する弾性緩衝体１２を介して床板体３が敷設されている。床板体３は、木製のパーチクルボード（各種ベニヤ合板やチップ圧縮体等の床パネル等）１３と、その上に配設した木製の無垢板、化粧合板等のフロ−リング材１４とからなる。弾性緩衝体１２は、耐圧耐振動性のある合成樹脂ゴムからなり、そのフラットな下面において大引ビーム４の上面に接着接合すると共に、そのフラットな上面において前記床板体３を接着接合により載置支持させている。この弾性緩衝体１２からなる上振動絶縁接続部６の存在により、床板体３の施工性を向上させ且つ大引ビーム４（床下構造体１）上に床板体３を非干渉的に載置支持して制振性と歩行性を向上させることができる。
【００１６】
下振動絶縁接続部７は、各大引ビーム２と床スラブ１との間に配設された両端制振・遮音装置１５と中間制振・遮音装置１６とからなる。両端制振・遮音装置１５は、大引ビーム２の長さ方向の両端部に配置されたもので、逆π型のビーム載置座１７、左右一対のπ型台座１８ａ，１８ｂ、各π型台座１８ａ，１８ｂ上に立設された脚体１９ａ，１９ｂ、ビーム載置座１７と大引ビーム２の底面との間に介装された弾性緩衝体２０、及び各π型台座１８ａ，１８ｂと床スラブ１との間に介装された弾性緩衝体２１ａ，２１ｂから構成されている。この両端制振・遮音装置１５によれば、ビーム載置座１７の上側解放の中央凹部内に前記弾性緩衝体２０を介して大引ビーム２の端部を嵌合させ、下面に弾性緩衝体２１ａ，２１ｂを接着した左右一対のπ型台座１８ａ，１８ｂを床スラブ１上に設置し、これらπ型台座１８ａ，１８ｂの各脚体１９ａ，１９ｂに螺嵌させた上下一対のナット２２ａ，２２ｂ間でビーム載置座１７の両翼板部を挟み付けるようにして、ビーム載置座１７を支持させるのであるが、前記上下一対のナット２２ａ，２２ｂの高さ調整により、支持するビーム載置座１７（大引ビーム２の端部）の床スラブ１上の高さを調整することができる。このようにして両端制振・遮音装置１５による大引ビーム２の両端の支持高さの調整により、全ての大引ビーム２を所定レベルに合わせて水平に支持させることができる。
【００１７】
尚、各脚体１９ａ，１９ｂは、π型台座１８ａ，１８ｂの下側解放の中央凸部に上向きに貫通させたボルトからなり、その中央凸部内に嵌合するボルト頭部２３ａ，２３ｂと当該ボルトに螺嵌させた押えナット２４ａ，２４ｂによりπ型台座１８ａ，１８ｂの中央凸部を挟み付けて、当該ボルトをπ型台座１８ａ，１８ｂに固定し、脚体１９ａ，１９ｂを構成している。又、大引ビーム２の支持高さが高いとき、又は床板体３上に重量物を載置する場合は、図３及び図５の各図に示すように、左右一対のπ型台座１８ａ，１８ｂを繋ぎ材２５により連結一体化し、両端制振・遮音装置１５を、門形構造ではなく矩形枠構造体として座屈強度を増大させることができる。
【００１８】
上記構成の両端制振・遮音装置１５によれば、大引ビーム４からの左右上下等の振動は、弾性緩衝体２０、ビーム載置座１７、一対の脚体１９ａ，１９ｂ、π型台座１８ａ，１８ｂ、及び弾性緩衝体２１ａ，２１ｂを順次介して床スラブ２へ伝播される間に吸収緩衝され、床スラブ２から梁部１０に伝わる荷重負荷が大幅に軽減されるのであるが、ビーム載置座１７が逆π型金物であって、その両翼板部がそれぞれ脚体１９ａ，１９ｂで支持される構造であり、そして脚体１９ａ，１９ｂを支持する台座がπ型台座１８ａ，１８ｂであって、その中央の凸部で脚体１９ａ，１９ｂを支持する構造であるため、両端制振・遮音装置１５全体として、大引ビーム４に対して優れた弾性クッション機能を発揮する。
【００１９】
中間制振・遮音装置１６は、大引ビーム４の長さ方向の両端間に所定間隔で配置されるもので、π型台座２６と、このπ型台座２６の中央凸部上に垂直に立設された脚体２７と、π型台座２６の中央凸部両側の翼板部と床スラブ２との間に介装される弾性緩衝体２８から構成されている。前記脚体２７はボルトからなり、このボルトをπ型台座２６の下側解放の中央凸部に上向きに貫通させ、当該中央凸部内に嵌合しているボルト頭部２９と当該ボルトに螺嵌させた押えナット３０との間でπ型台座２６の中央凸部を挟み付けて、当該ボルトをπ型台座２６に固定することにより、脚体２７を構成している。そしてこの脚体２７を大引ビーム４の底面板に上向きに貫通させ、当該脚体２７に螺嵌させた上下一対のナット３１，３２間で大引ビーム４の底面板を挟み付けることにより、大引ビーム４の下側に中間制振・遮音装置１６が、図示のようにそのπ型台座２６の中央凸部両側の翼板部が大引ビーム４の左右両側に張り出すように、π型台座２６が大引ビーム４の長さ方向に対し直交する左右横向きとなる状態で取り付けられる。前記弾性緩衝体２８は、π型台座２６の中央凸部両側の翼板部に設けられている貫通孔３３から当該π型台座２６の両翼板部と床スラブ２との間の空隙内に、弾性樹脂充填器３４を利用して弾性樹脂を充填することにより形成される。
【００２０】
上記中間制振・遮音装置１６は、ナット３１，３２の締結高さを調整することにより、大引ビーム４の中間部の支持高さを調節し、両端制振・遮音装置１５にかかる荷重負担を軽減できると共に、大引ビーム４の左右上下振動を吸収緩衝して、床スラブ２への騒音と振動の伝播を抑制し、大引ビーム４の撓みも防止する。
【００２１】
尚、大引ビーム４の側面に設けられた空気流通用穴８は、床下構造体１における大引ビーム４を横断する方向の空気流通路を形成すると同時に、設備配管、空調用の空気口等として活用することができるのであるが、上記のような構造の中間制振・遮音装置１６を矩形中空断面の大引ビーム４に取り付ける場合、図２に示すように大引ビーム４の側面視において、中間制振・遮音装置１６の真上位置に空気流通用穴８が位置するように、空気流通用穴８と中間制振・遮音装置１６を配置することができる。
【００２２】
上記実施例に係る構成による効果を列記すると次のようになる。
○二重床でありながら約138mmの低床化を実現できる。
○振動を伝える媒体となる束を皆無にして音の伝播を低減できる。
○遮音性能を床スラブ厚に頼ることなく、構造的には必要のないスラブ厚の増加を防ぎ、建物全体の軽量化が図れる。
○躯体工事費は、床スラブを135mmと軽量化にした場合、建造物の柱、梁、基礎等も削減でき、躯体コストは均質単体スラブ（厚み150mm、180mm、200mm）やポイドスラブ、アンポイドＰＣスラブとの比較で８〜30％の低減が図れる。
○設備工事費は、設備配線、配管の躯体内への打ち込みを無くして異業種の共同作業を削減できる。
○設備配線、配管の露出配置が可能で、メンテナンスが容易に行え、その労力、時間、費用を軽減し、コスト面の負担を大きく軽減できる。
○躯体と居住床を分離する発想は、メンテナンスや生活環境の変化にも容易に対応することができるため、国土交通省が進めるＳＩ住宅そのものの発想と共通し、長期優良住宅（建設寿命＝躯体寿命）の発想に繋がる。
○以上のことから実現可能な高耐久性住宅化は、建物を長く安全に活用でき、ライフサイクルコストの削減に大きく貢献する。
【産業上の利用可能性】
【００２３】
本発明の床構造体支持用の制振・遮音装置は、正梁構造の床スラブを有する建物の床を二重構造とする場合に、その床の制振性能、遮音性能、歩行性能を高める手段として活用できる。
【符号の説明】
【００２４】
１    床下構造体
２    床スラブ
３    床板体
４，４Ａ〜４Ｅ    大引ビーム
５    サブビーム
６    上振動絶縁接続部
７    下振動絶縁接続部
８    空気流通用穴
９    サブビーム接続用の切欠部
１０    梁部
１１    フック
１２，２０，２１ａ，２１ｂ，２８    弾性緩衝体
１３    パーチクルボード
１４    フロ−リング材
１５    両端制振・遮音装置
１６    中間制振・遮音装置
１７    逆π型のビーム載置座
１８ａ，１８ｂ，２６    π型台座
１９ａ，１９ｂ，２７    脚体
２２ａ，２２ｂ，３１，３２    ナット
２３ａ，２３ｂ，２９    ボルト頭部
２４ａ，２４ｂ，３０    押えナット
２５    繋ぎ材
３３    貫通孔
３４    弾性樹脂充填器
【図１】
0005454797.tif 000002
【図２】
0005454797.tif 000003
【図３】
0005454797.tif 000004
【図４】
0005454797.tif 000005
【図５】
0005454797.tif 000006